(57)【特許請求の範囲】
【請求項１】
天板部および該天板部の外周から下方へ立設された枠部を有するカバー本体と、
前記枠部に形成された係合部と、
前記天板部の上面に形成された窪み部と、
前記天板部の上面を延長するように前記枠部から突出する張り出し部と、
を備え、
前記窪み部と前記張り出し部の所でそれらの間にある前記カバー本体の部分を挟持して前記枠部を下方に向けた状態で、前記係合部と電気接続箱の接続箱本体の係止部とが係合するように、前記接続箱本体の上端部に取り付けることにより、該上端部の開口を覆う上カバーであって、
前記接続箱本体に収容された電気部品の放熱をするための放熱孔が、前記張り出し部の下方に位置する前記枠部の部分を貫通するように形成され、そして
前記放熱孔の周縁の一部が、前記張り出し部の下面によって形成されていることを特徴とする上カバー。
【請求項２】
前記放熱孔の周縁を形成する前記枠部の面のうち、前記張り出し部の下面と対向する部分が、前記カバー本体の内側から外側に向かって下る傾斜面であることを特徴とする請求項１に記載した上カバー。
【請求項３】
異物が前記カバー本体の外側から前記放熱孔を通って前記カバー本体の内側に進入することを阻止するために、前記放熱孔を仕切るように形成された異物進入防止壁を更に備えることを特徴とする請求項１または請求項２に記載した上カバー。
【発明の詳細な説明】
【技術分野】
【０００１】
本発明は、例えば自動車等といった車両に用いられる例えばリレー・ボックス、ヒューズ・ボックス、等といった電気接続箱（即ち、エレクトリック・ジャンクション・ブロック）に係り、特に、例えばリレー、ヒューズ、電子制御ユニット、等といった電気部品が収容された電気接続箱の接続箱本体に取り付け可能な上カバーに関する。
【背景技術】
【０００２】
車両に搭載される電気接続箱の一例として、複数の電気部品が収容された接続箱本体と、防水および防塵のため電気部品を覆うように接続箱本体の上部に取り付けられる盆状（盆を逆さにした様な形状）の上カバー（アッパー・カバー）と、電気部品にそれぞれ電気的に接続する電線を覆うように該接続箱本体の下部に取り付けられる下カバー（ロアー・カバー）と、を備えたものが知られている（例えば、特許文献１等参照）。
【０００３】
一般的な上カバーは、例えば特許文献１等に示される上カバーのように、幅が広く厚みがあまりないものが多い。上カバーの接続箱本体への嵌合は、上カバーの係合部を接続箱本体の外枠外周面の係止部上に軽く乗せて上カバーを接続箱本体上に仮置きし、更に上カバーを上から押下することにより、上カバーの係合部を接続箱本体の係止部と係合させることにより為される。
【０００４】
しかし、上述のように上カバーの係合部を接続箱本体の係止部上に軽く乗せる際、上カバーの幅が広いため、片手で上カバーを持つと接続箱本体上での上カバーの位置決めが難しく、また両手で上カバーを持つとその他の作業をしづらいという短所がある。
【０００５】
そこで、盆状の上カバーの上面の中央に窪み部を設けて、上カバーを上から掴める形状とし、上カバーの接続箱本体への嵌合を片手で容易に行なえるようにした技術が知られている（例えば、非特許文献１参照）。この技術によれば、電気接続箱の組立てに係る作業効率を向上でき、それにより品質の向上を図ることができる。また、上カバーに窪み部が設けられることで、上カバーの変形も防止できる。
【０００６】
しかし、その一方で、盆状の上カバーを接続箱本体に取り付けることによって、接続箱本体の上端部の開口が失われるので、接続箱本体内の電気部品の放熱に関する配慮が重要になってくる。
【０００７】
【特許文献１】特開２０００−３７０１７号公報
【非特許文献１】発明協会公開技報公技番号２００５−５０４０１０号
【発明の開示】
【発明が解決しようとする課題】
【０００８】
本発明は、上述した事情に鑑みてなされたものであり、その目的は、特に、単に掴み易いだけでなく雨水等の液体が浸入し難い放熱構造を有する上カバーを提供することにある。
【課題を解決するための手段】
【０００９】
前述した目的を達成するため、本発明に係る上カバーは、下記（１）〜（４）を特徴としている。
（１）  天板部および該天板部の外周から下方へ立設された枠部を有するカバー本体と、
前記枠部に形成された係合部と、
前記天板部の上面に形成された窪み部と、
前記天板部の上面を延長するように前記枠部から突出する張り出し部と、
を備え、
前記窪み部と前記張り出し部の所でそれらの間にある前記カバー本体の部分を挟持して前記枠部を下方に向けた状態で、前記係合部と電気接続箱の接続箱本体の係止部とが係合するように、前記接続箱本体の上端部に取り付けることにより、該上端部の開口を覆う上カバーであって、
前記接続箱本体に収容された電気部品の放熱をするための放熱孔が、前記張り出し部の下方に位置する前記枠部の部分を貫通するように形成され、そして
前記放熱孔の周縁の一部が、前記張り出し部の下面によって形成されていること。
（２）  上記（１）の構成の上カバーにおいて、
前記放熱孔の周縁を形成する前記枠部の面のうち、前記張り出し部の下面と対向する部分が、前記カバー本体の内側から外側に向かって下る傾斜面であること。
（３）  上記（１）または（２）の構成の上カバーが、
異物が前記カバー本体の外側から前記放熱孔を通って前記カバー本体の内側に進入することを阻止するために、前記放熱孔を仕切るように形成された異物進入防止壁を更に備えること。
（４）  上記（１）〜（３）のいずれかの構成の上カバーにおいて、
前記窪み部が、前記天板部の上面の縦方向中央且つ前記天板部の上面の横方向中央に設けられていること。
【００１０】
上記（１）の構成の上カバーによれば、天板部の上面を延長するように枠部から突出する張り出し部の直ぐ下に放熱孔が形成されているので、接続箱本体に収容された電気部品の良好な放熱を行なえるだけでなく、放熱孔への上方からの雨水等の液体の浸入を困難にしている。その上、上記（１）の構成の上カバーでは、張り出し部が枠部から突出するとともに張り出し部の直ぐ下に放熱孔が形成されている分、窪み部と張り出し部の所でそれらの間にあるカバー本体の部分を手指により挟持した際に、張り出し部を掴んだ手指の先端部を引っ掛け易いので、更に上カバーを掴み易くなっている。
上記（２）の構成の上カバーによれば、張り出し部の下面とともに放熱孔を画成する枠部の面のうち、張り出し部の下面と対向する部分がカバー本体の内側から外側に向かって下る傾斜面であるので、この傾斜面に付着した雨水等の液体を上カバーの下方へ流し易い。
上記（３）の構成の上カバーによれば、異物がカバー本体の外側から放熱孔を通ってカバー本体の内側に進入することを阻止するための異物進入防止壁が、放熱孔を仕切るように形成されているので、例えば、張り出し部を掴んだ手指の先端部が放熱孔に嵌まり込むようなことも阻止できる。しかも、異物進入防止壁を張り出し部の下面と、放熱孔を画成する枠部の面のうち張り出し部の下面と対向する部分（面）との間に形成すれば、上からの押下に対する上カバーの強度向上ができるので、好ましい。
上記（４）の構成の上カバーによれば、窪み部が、天板部の上面の縦方向中央且つ天板部の上面の横方向中央に設けられているので、上カバーの変形をバランスよく抑えることができる。
【発明の効果】
【００１２】
本発明によれば、単に掴み易いだけでなく雨水等の液体が浸入し難い放熱構造を有する上カバーを提供できる。
【００１３】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１４】
以下、本発明に係る好適な実施形態を図１〜図５を参照しながら詳細に説明する。
【００１５】
図１は本発明に係る上カバーの一実施形態を斜め上から視た斜視図、図２は図１の上カバーを斜め下から視た斜視図、図３は図２の上カバーの要部を拡大して示す斜視図、図４は上カバーの縦断面図、そして図５は図１の上カバーを電気接続箱の接続箱本体の上端部に取り付けた状態を示す（電気接続箱内の電気部品の一例も鎖線で示す）斜視図である。
【００１６】
図１〜図４に示されるように、上カバー１は、天板部１１および該天板部１１の外周から下方へ立設された枠部１２を有するカバー本体１０と、枠部１２の外面上に形成された３つの係合部１７と、天板部１１の上面１１ａに形成された窪み部１５と、天板部１１の上面１１ａを延長するように枠部１２から突出する舌状の張り出し部１４と、を備える。
【００１７】
この上カバー１は、図５に示される電気部品２０（リレー、ヒューズ、電子制御ユニット、等）を収容および保持する合成樹脂製の接続箱本体３０に取り付け可能な合成樹脂製の部材であって、接続箱本体３０および該接続箱本体３０に接続された合成樹脂製の下カバー４０とともに、電気接続箱１００を形成する。
【００１８】
上カバー１の接続箱本体３０への取り付けに関して述べると、次のようになる。即ち、窪み部１５と張り出し部１４の所でそれらの間にあるカバー本体１０の部分を挟持して、枠部１２の下端縁１３を下方に向けた状態で、係合部１７と接続箱本体３０の係止部３１とが係合するように、上カバー１を接続箱本体３０の上端部３５に取り付けることにより、該上端部３５の開口を覆う。尚、参照符号２５は接続箱本体３０内から引き出された電線であって、電気部品２０と電気的に接続するものである。
【００１９】
また、この上カバー１には、接続箱本体３０内の電気部品２０（リレー、ヒューズ、電子制御ユニット、等）の放熱をするための放熱孔１９が、張り出し部１４の下方に位置する枠部１２の部分１２ａを貫通するように形成されている。
【００２０】
例えば図３等から明らかなように、張り出し部１４の下面１４ａは、放熱孔１９を部分的に画成する（換言すれば、放熱孔１９の周縁の一部が、張り出し部１４の下面１４ａによって形成されている）。また、張り出し部１４の下面１４ａとともに放熱孔１９の周縁を形成する枠部１２の面のうち、張り出し部１４の下面１４ａと対向する部分は、カバー本体１０の内側から外側に向かって下る傾斜面１２ｂとなっている。
【００２１】
また、上カバー１は、異物がカバー本体１０の外側から放熱孔１９を通ってカバー本体１０の内側に進入することを阻止するために、放熱孔１９を仕切るように形成された３つの異物進入防止壁１９ａを更に備える。これら異物進入防止壁１９ａは、張り出し部１４の下面１４ａと枠部１２の傾斜面１２ｂとに架設されるように一体成形されている。
【００２２】
窪み部１５は、天板部１１の上面１１ａの縦方向中央且つ天板部１１の上面１１ａの横方向中央に設けられている。図４から明らかなように、窪み部１５は、略鉛直方向に延びるグリップ面１５ａを張り出し部１４側に有する。従って、上カバー１を手指で掴む際には、窪み部１５のグリップ面１５ａと張り出し部１４の端縁面とが手指に摘ままれる。
【００２３】
接続箱本体３０の上端部外面には３つの係止部３１（図５では１つだけ示されている。）が設けられている。上カバー１の係合部１７のうち１つは、片持ち状の係合アームの自由端部外面に係止突起１８を有するものであり、この係止突起１８が係止部３１のロ字状の引っ掛け部（不図示）により係止され、また、上カバー１の係合部１７のうち他の２つは、前述の係止部３１と同様なロ字状の引っ掛け部となっており、係止突起１８と同様な係止突起を有する係止部３１を係止する。これにより上カバー１が容易に外れることなく接続箱本体３０の上端部３５に保持（接続）される。
【００２４】
この構成の上カバー１によれば、天板部１１の上面１１ａを延長するように枠部１２から突出する張り出し部１４の直ぐ下に放熱孔１９が形成されているので、接続箱本体３０に収容された電気部品２０の良好な放熱を行なえるだけでなく、放熱孔１９への上方からの雨水等の液体の浸入を困難にしている。その上、上カバー１では、張り出し部１４が枠部１２から突出するとともに張り出し部１４の直ぐ下に放熱孔１９が形成されている分、窪み部１５と張り出し部１４の所でそれらの間にあるカバー本体１０の部分を手指により挟持した際に、張り出し部１４を掴んだ手指の先端部を引っ掛け易いので、更に上カバー１を掴み易くなっている。
また、上カバー１によれば、張り出し部１４の下面１４ａとともに放熱孔１９を画成する枠部１２の面のうち、張り出し部１４の下面１４ａと対向する部分がカバー本体１０の内側から外側に向かって下る傾斜面１２ｂであるので、この傾斜面に付着した雨水等の液体を上カバー１の下方へ流し易い。
また、上カバー１によれば、異物がカバー本体１０の外側から放熱孔１９を通ってカバー本体１０の内側に進入することを阻止するための異物進入防止壁１９ａが、放熱孔１９を仕切るように形成されているので、例えば、張り出し部１４を掴んだ手指の先端部が放熱孔１９に嵌まり込むようなことも阻止できる。しかも、異物進入防止壁１９ａを張り出し部１４の下面１４ａと枠部１２の傾斜面１２ｂとの間に形成すれば、上からの押下に対する上カバー１の強度向上ができるので、好ましい。
また、上カバー１によれば、窪み部１５が、天板部１１の上面１１ａの縦方向中央且つ天板部１１の上面１１ａの横方向中央に設けられているので、上カバー１の変形をバランスよく抑えることができる。
【００２５】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【００２６】
例えば、上述の係止部の構造を上述の係合部の代わりにカバー本体に採用し、そして上述の係合部の構造を上述の係止部の代わりに接続箱本体に採用してもよい。
【図面の簡単な説明】
【００２７】
【図１】本発明に係る上カバーの一実施形態を斜め上から視た斜視図である。
【図２】図１の上カバーを斜め下から視た斜視図である。
【図３】図２の上カバーの要部を拡大して示す斜視図である。
【図４】上カバーの縦断面図である。
【図５】図１の上カバーを電気接続箱の接続箱本体の上端部に取り付けた状態を示す斜視図である。
【符号の説明】
【００２８】
１：上カバー
１０：カバー本体
１１：天板部
１１ａ：上面
１２：枠部
１２ａ：枠部の一部分
１２ｂ：傾斜面
１３：下端縁
１４：張り出し部
１４ａ：下面
１５：窪み部
１７：係合部
１８：係止突起
２０：電気部品
３０：接続箱本体
３１：係止部
３５：上端部
４０：下カバー
１００：電気接続箱
【図１】
0004606370.tif 000002
【図２】
0004606370.tif 000003
【図３】
0004606370.tif 000004
【図４】
0004606370.tif 000005
【図５】
0004606370.tif 000006